(57)【要約】【課題】キャリア信号の立ち上がり時間をリアルタイムに設定でき、あらゆる立ち上がり時間の規格を持つ非接触型ＩＣカードに対応できるＩＣカードリーダライタを提供する。【解決手段】非接触型ＩＣカード５と電磁的にデータの送受信を行うアンテナ３と、このアンテナ３を介して前記データとなるキャリア信号を送信する送信装置１と、このアンテナ３を介して前記キャリア信号を受信する受信装置２と、前記送信装置１および受信装置２を制御する制御装置４とを備え、前記制御装置４は、前記キャリア信号を発信するキャリア信号発信部４２と、このキャリア信号発信部４２とともに、前記送信装置１を制御することにより、この送信装置１の出力側のキャリア信号の立ち上がり時間を制御する電源制御部４１とで構成する。【選択図】　図１
2004005077.tif 000002
【特許請求の範囲】
【請求項１】
非接触型ＩＣカードと電磁的にデータの送受信を行うＩＣカードリーダライタにおいて、前記非接触型ＩＣカードと前記データの送受信を行うアンテナと、該アンテナを介して前記データとなるキャリア信号を送信する送信装置と、該アンテナを介して前記キャリア信号を受信する受信装置と、前記送信装置および受信装置を制御する制御装置とを備え、前記制御装置は、前記キャリア信号を発信するキャリア信号発信部と、該キャリア信号発信部とともに、前記送信装置を制御することにより該送信装置の出力側のキャリア信号の立ち上がり時間を制御する電源制御部とで構成されることを特徴とするＩＣカードリーダライタ。
【請求項２】
前記送信装置は、前記キャリア信号を増幅する増幅素子と、該増幅素子と接続する時定数回路と、該時定数回路への電源電圧の供給をオン・オフするスイッチ部と、前記キャリア信号を前記増幅素子への入力をオン・オフするスイッチ部とで構成され、前記制御装置により、前記キャリア信号を前記増幅素子へ入力する時刻と、前記電源電圧を供給する時刻とを設定し、前記増幅素子の出力側のキャリア信号を制御することを特徴とする請求項１記載のＩＣカードリーダライタ。
【請求項３】
前記制御装置により、前記キャリア信号を前記増幅素子へ入力する時刻より、前記電源電圧を供給する時刻を、前記時定数回路の時定数の時間以上に早く設定し、前記増幅素子の出力側のキャリア信号を制御することを特徴とする請求項１または２記載のＩＣカードリーダライタ。
【請求項４】
前記制御装置により、前記キャリア信号を前記増幅素子へ入力する時刻と、前記電源電圧を供給する時刻とを同一時刻に設定し、前記増幅素子の出力側のキャリア信号を、時定数回路での設定された時定数に応じた信号となるように制御することを特徴とする請求項１または２記載のＩＣカードリーダライタ
【発明の詳細な説明】
【０００１】
【発明の属する技術分野】
本発明は、主として非接触型ＩＣカードとデータの送受信を行うＩＣカードリーダライタに関する。
【０００２】
【従来の技術】
図４は、従来のＩＣカードリーダライタの説明図である。図４に示すように、従来のＩＣカードリーダライタ１０ａは、送信装置１ａと、受信装置２ａと、前記送信装置１ａと受信装置２ａとを制御する制御装置４ａと、アンテナ３ａとで構成されている。また、パソコン６ａは、ＩＣカードリーダライタ１０ａと接続され、これにより、ＩＣカードリーダライタ１０ａを操作することができる。非接触型ＩＣカード５ａは、非接触型ＩＣカードの規格（ＩＳＯ／ＩＥＣ１４４４３−１）に基づいて、前記ＩＣカードリーダライタ１０ａのアンテナ３ａとの間にて、キャリア周波数１３．５ＭＨｚの電磁波にてデータの送受信を行う。なお、キャリア周波数１３．５ＭＨｚの電磁波は、ＩＣカードリーダライタ１０ａの制御装置４ａ内のキャリア信号発信部４２ａから送信装置１ａにて増幅されアンテナ３ａに入力される。
【０００３】
図５は、従来のＩＣカードリーダライタにおける送信装置の出力側でのキャリア信号の時間依存性を示す波形図である。図５（ａ）は、キャリア信号の立ち上がり特性を示す図、図５（ｂ）は、キャリア信号へのデータ書き込みをして、変調した状態を示す図である。図５に示すように、従来のＩＣカードリーダライタでは、キャリア信号の立ち上がり時間τは、一定であり、この立ち上がり時間は、使用される非接触型ＩＣカードの規格によって範囲が決まっている。
【０００４】
【発明が解決しようとする課題】
しかしながら、異なる立ち上がり時間の規格を持つ非接触型ＩＣカードが、同一のＩＣカードリーダライタに近接した場合は、立ち上がり時間の規格に合った非接触型ＩＣカードは、キャリア信号を受け付けるが、異なる立ち上がり時間の規格の非接触型ＩＣカードが近接した場合は、キャリア信号を受け付けないという問題点があった。
【０００５】
従って、本発明の目的は、あらゆる立ち上がり時間の規格を持つ非接触型ＩＣカードに対応できるＩＣカードリーダライタを提供することにある。
【０００６】
【課題を解決するための手段】
本発明は、非接触型ＩＣカードと電磁的にデータの送受信を行うＩＣカードリーダライタにおいて、前記非接触型ＩＣカードと前記データの送受信を行うアンテナと、該アンテナを介して前記データとなるキャリア信号を送信する送信装置と、該アンテナを介して前記キャリア信号を受信する受信装置と、前記送信装置および受信装置を制御する制御装置とを備え、前記制御装置は、前記キャリア信号を発信するキャリア信号発信部と、該キャリア信号発信部とともに、前記送信装置を制御することにより該送信装置の出力側のキャリア信号の立ち上がり時間を制御する電源制御部とで構成されることを特徴とするＩＣカードリーダライタである。
【０００７】
また、本発明は、前記送信装置は、前記キャリア信号を増幅する増幅素子と、該増幅素子と接続する時定数回路と、該時定数回路への電源電圧の供給をオン・オフするスイッチ部と、前記キャリア信号を前記増幅素子への入力をオン・オフするスイッチ部とで構成され、前記制御装置により、前記キャリア信号を前記増幅素子へ入力する時刻と、前記電源電圧を供給する時刻とを設定し、前記増幅素子の出力側のキャリア信号を制御することを特徴とする上記のＩＣカードリーダライタである。
【０００８】
また、本発明は、前記制御装置により、前記キャリア信号を前記増幅素子へ入力する時刻より、前記電源電圧を供給する時刻を、前記時定数回路の時定数の時間以上に早く設定し、前記増幅素子の出力側のキャリア信号を制御することを特徴とする上記のＩＣカードリーダライタである
【０００９】
また、本発明は、前記制御装置により、前記キャリア信号を前記増幅素子へ入力する時刻と、前記電源電圧を供給する時刻とを同一時刻に設定し、前記増幅素子の出力側のキャリア信号を、時定数回路での設定された時定数に応じた信号となるように制御することを特徴とする上記のＩＣカードリーダライタである。
【００１０】
【発明の実施の形態】
図１は、本発明の実施の形態におけるＩＣカードリーダライタの説明図である。図１に示すように、本発明のＩＣカードリーダライタ１０は、送信装置１と、受信装置２と、前記送信装置１と受信装置２とを制御する制御装置４と、アンテナ３とで構成されている。また、制御装置４は、電源制御部４１と、キャリア信号発信部４２にて構成されている。また、パソコン６は、ＩＣカードリーダライタ１０と接続され、これにより、ＩＣカードリーダライタ１０を操作することができる。非接触型ＩＣカード５は、前記ＩＣカードリーダライタ１０に設置されたアンテナ３との間にて、キャリア周波数１３．５ＭＨｚの電磁波にてデータの送受信を行う。
【００１１】
図２は、本発明の実施の形態におけるＩＣカードリーダライタの電源制御系の説明図である。図２に示すように、増幅素子８は、キャリア信号発信部４２からのキャリア信号を増幅しアンテナへ入力する。また、増幅素子８への電源供給系は、リレー回路７ａと、抵抗Ｒ１、Ｒ２、Ｒ３と、コンデンサＣとを経由して増幅素子８の電源端子に接続して構成されている。またリレー回路７ａには、電源制御部４１から、電源供給線７１ａ、およびリレー回路制御信号線７２ａが接続されている。
【００１２】
また、図３は、本発明の実施の形態におけるＩＣカードリーダライタの電源制御系での、各部の電圧の時間依存性を示す波形図である。図３（ａ）に示すように、前記Ｒ１、Ｒ２、Ｒ３のいずれかを選択し、所定の時定数を選択した状態で、電源制御部４１からのリレー回路７ａのオン（ＯＮ）の時刻と、キャリア信号発信部４２からのリレー回路７ｂのオンの時刻とを一致させた場合、設定した抵抗とコンデンサとで決定される時定数に沿って、立ち上がり時間τにて、増幅素子８の出力側からキャリア信号が発生し、アンテナに入力される。
【００１３】
ここで、設定した抵抗とコンデンサとで決定される時定数の一例は、抵抗３３Ω、コンデンサ２００μＦの場合、時定数τ（１０％から９０％間の時間で定義する）は、８ｍｓｅｃとなる。
【００１４】
また、図３（ｂ）に示すように、電源制御部４１からのリレー回路７ａのオンの時刻を、キャリア信号発信部４２からのリレー回路７ｂのオンの時刻よりも、時定数の時間以上にて、早くした場合、設定された時定数の時間を十分経過するので、増幅素子８の電源電圧ＶＤは、１５Ｖ一定となる。このため増幅素子８の出力側からのキャリア信号は、急速な立ち上がり波形となり、このキャリア信号がアンテナに入力される。ここで、前記キャリア波形の立ち上がり時間は、数μｓｅｃである。
【００１５】
このように、電源制御部４１からのリレー回路７ａのオンの時刻と、キャリア信号発信部４２からのリレー回路７ｂのオンの時刻との時間差を制御することによって、リアルタイムに立ち上がり時間を設定できるため、任意の立ち上がり時間を持った、キャリア信号を実現できる。これによってあらゆる立ち上がり時間の規格を持つ非接触型ＩＣカードに対応できる。
【００１６】
なお、上記の実施の形態において、電源電圧及びキャリア信号発信をリレー回路にて制御する構成を説明したが、これらは他の機械的スイッチ素子、半導体素子あるいは集積回路であっても同様の効果が得られる。
【００１７】
【発明の効果】
以上説明したように、本発明によれば、キャリア信号の立ち上がり時間をリアルタイムに設定でき、あらゆる立ち上がり時間の規格を持つ非接触型ＩＣカードに対応できるＩＣカードリーダライタを提供することができる。
【図面の簡単な説明】
【図１】本発明の実施の形態におけるＩＣカードリーダライタの説明図。
【図２】本発明の実施の形態におけるＩＣカードリーダライタの電源制御系の説明図。
【図３】本発明の実施の形態におけるＩＣカードリーダライタの電源制御系での、各部の電圧の時間依存性を示す波形図。図３（ａ）は、電源制御部からのリレー回路のオンの時刻と、キャリア信号発信部からのリレー回路のオンの時刻とを一致させた場合を示す図。図３（ｂ）は、電源制御部からのリレー回路のオンの時刻を、キャリア信号発信部からのリレー回路のオンの時刻よりも、時定数の時間以上にて、早くした場合を示す図。
【図４】従来のＩＣカードリーダライタの説明図。
【図５】従来のＩＣカードリーダライタにおける送信装置の出力側でのキャリア信号の時間依存性を示す波形図。図５（ａ）は、キャリア信号の立ち上がり特性を示す図、図５（ｂ）は、キャリア信号へのデータ書き込みをして、変調した状態を示す図。
【符号の説明】
１、１ａ　　送信装置
２、２ａ　　受信装置
３、３ａ　　アンテナ
４、４ａ　　制御装置
５、５ａ　　非接触型ＩＣカード
６、６ａ　　パソコン
７ａ、７ｂ　　リレー回路
８　　増幅素子
１０、１０ａ　　ＩＣカードリーダライタ
４１　　電源制御部
４２、４２ａ　　キャリア信号発信部
７１ａ　　電源供給線
７２ａ、７２ｂ　　リレー回路制御信号線
【図１】
2004005077.tif 000003
【図２】
2004005077.tif 000004
【図３】
2004005077.tif 000005
【図４】
2004005077.tif 000006
【図５】
2004005077.tif 000007